(57)【要約】      （修正有）【課題】いかに大容量発電の方法を捜すかを思考している時に自然の浮力を活用した回転方法が最良である事と、１ツの回転扇発電方法よりも本申請の通り２方向に回転扇を回す事が出来れば、必ず２ツの回転力の総合回転力が、出現すれば厖大な回転稼動力となる事を発見したものであり、自然の強力な浮力と数ｔ〜数十ｔの重量物体が、海中部分での高速回転摩擦が大幅に減少する事に依る強大な回転力が想像を越えた厖大な発電力となる事を発見したものである。各種回転ギア等の設置に依る連結方法の改良等に依る確実な伝導方法の確立を目指す事とする。【解決手段】出来るだけ浮力の強くなる回転扇を深くし、直径を大きくする事とすればより確実に各種回転ギアの設置が出来る事となる。【選択図】図１
2014224522.tif 000002
【特許請求の範囲】
【請求項１】
海上に周囲を強力な浮力容器等の設置がされた海中発電船を設置し、その中心部分に強力な浮力の活用が利用された上下回転扇の回転稼動を行なう為の諸設備の設置を行なう事とし、その回転扇は外回転扇（Ｆ）と内回転扇（Ｙ）の二重設置構造とする。
当然その時に各回転扇に於いては強力な浮力の確保が行なわれている事とする。
そして各々回転扇外周部分に設置がされた回転翼部分に数十基設置の各々高圧海水噴出機よりの高圧噴射が行なわれ、各回転扇は各々回転方向に向かって段々と高速回転稼動が行なわれる事となる。
本申請発電装置設備は図１の通り、上下二段の回転扇の強力な回転力を全て逆方向に行なう事を発見したものであり、その効力の威力はただ２ツの回転扇のみの回転稼動力のみでは無く、この上下回転扇下部部分双方に設置がされる回転慣性力向上の為の回転重量物等の設置、海中空間等の大幅増設、又交互の逆方向回転稼動とする逆方向遠心回転活用に依る二段の重心回転活動が出現し、上下各々回転扇自体の強大な浮力活用作用に依る想像を超えた相乗効果が出現となり、その強力な回転稼動力の出現に依る大容量発電装置の数基設置も充分に可能となる。
そして〔図１〕の通り各回転扇の中心部分には「浮力緩衝船中筒」を設置し、常時「船内海上喫水線」部分の確保を行なう事とし、この装置に依る浮力の調整が行なわれると同時に、上下各回転扇の重要な天然潤滑油の役目を担う事とし、各種回転ギアの活用を行ない乍ら、継続された高速回転が確保される事となれば、最後の各「発電ギア」部分に接続される回転ギアは必ず各「発電ギア」部分が右回転とする事は簡単な事であり、上下回転扇の強力な浮力活用と同時に出現する重量感のある数十ｔの回転扇が高速回転を行なう事に依る強烈で強大な発電が得られる事となる「浮力緩衝船内筒設置活用に依る左右２方向回転扇稼動発電装置設備」
【発明の詳細な説明】
【技術分野】
【０００１】  海上に「浮力容器浮力調整装置」である容器発電船を発電主体である各回転扇周囲に設置をし、その強力な浮力の活用を行ない乍ら二段の回転扇を設置をし、その各回転扇の回転方向を上下別方向に回転するべく設置をし、その回転扇各々自体に生じる強力な浮力の減少を大幅に減少を行なう事とする為に回転扇の中心部分に「浮力緩衝船中筒」部分の設置と、内回転扇（Ｙ）の円滑な回転の為の「回転緩衝防護壁」部分の設置を行ない同時に外回転扇（Ｆ）部分に「海水取込口」を設置をし、回転扇（Ｆ）（Ｙ）間の海水量の調整も同時に行なわれる事とする。
そしてタライ図内の山石数トンと同様な働きとなる「浮力容器浮力調整装置」に依る浮力の調整を行ない二基の回転扇が軽快に回転を行なう事に依り発電を行なう事となる。【０００２】  本発明はよく考えられる１枚の回転板の回転のみの稼動等とは全く違い、発電方法としては全く新しい二基の回転扇の同時回転稼動力に依る強力な回転発電稼動力が数倍の威力となる事と設置場所も全て海上部分となる事を発見したものであり、図１内のタライ図の通り直径数十ｍの二段の回転扇が回転を行なえばまず発電量等の計算は全く厳しい事となるが、海上であっても全く陸上の如くの設置となり、確実な重量感のある回転が確保されれば、数段階の各種回転ギア等を駆使すれば必ず回転発電ギアは発電稼動となる。
そして交互回転方法の発見に依り、落ちついた海中が必ず出現する事となる。【０００３】  以上の通り〔図１〕にて説明する。【０００４】  海上での波動潮流等に依る影響を大幅に減少さす為に〔図１〕の通り強力な「浮力容器浮力調整装置」内の「浮力調整装置」を活用し、充分に安定した「安全海中空間」の出現と「重量物等設置調整層」部分を各々設置を行なう事とする。
次に内外回転扇（Ｆ）（Ｙ）部分に海水に依る「高圧海水噴出機」各々数十基よりの高圧噴出を行ない段々と高速回転が始まる事となる。
当然噴出済後の海水は各々海上海中部分に消える事となる
よって全ての続いて起きる稼動回転発電力は海水のみであり、多少の原動力源である電気、石油等は最初の稼動時に必要となるが、継続稼動後には自家発電の如く海水のみの発電の継続となる。
そして本発電設備の最大の狙いは図１内上部に記した通り、僅か数ｍのタライの様なものでも山石数トンの積載力と、そのタライに少しの継続された回転稼動力を与えるとすれば、僅かの労力の継続さえ行なえば、段々と必ず高速回転域への突入となり、この継続維持がいかに簡単であるかを図示したものであり、誰もがこの事実に気が付かない事が不思議であり、その自然の回転力の強さと速さと今般申請の上下回転扇設置に依る逆方向回転稼動に取り込れても何ら支障の無い事等を、簡単なタライ装置に依り発見したものである。
なぜなら回転しているタライ底面部分の数ｃｍ下部分に於いては殆んど回転稼動力の影響は全く起こり得ないものであり、本申請の上下二段構えの回転扇設置に於いても僅かの影響しか無い事となる。
又外回転扇（Ｆ）部分に小さな「海水取込口」部分の設置を行なう事に依り、常時安定した「内外回転扇内喫水線」部分の安定確保となり、回転扇（Ｆ）（Ｙ）部分に多少の噴出差は生じると思うが強力な噴出回転稼動力を与える事に依る上下回転扇の回転稼動力の差異は思った以上僅かの差異となる。
又各回転扇下部に設置がされる「海中空間」「回転重量物用重し」等々の働きに依る回転慣性力の強化は段々と安定した高速回転となり、同時に船内各設置ギア等の調整に依り、「発電ギア」部分に充分な回転力の伝導となり、強力な大容量発電が出現すると同時に、本上下（Ｙ）（Ｆ）各々回転扇設置稼動の最大の狙いである大容量発電機数台の同時設置稼動が実現し、強烈な浮力活用に依る安定した大容量海中発電が出現する事となる。【０００５】
【特許文献】特にありません。
【発明の概要】
【発明が解決しようとする課題】  回転扇発電方法を活用し、何か良い方法で大容量発電を確実に実施出来る方法を捜していたもので、何百回となく思考した結果二段設置回転扇活用に依る発電方法を考案したものです。
その為に大型のタライを何十回となく回転させて実験を行なう事に依り浮力の活用に依る回転力の強さと速度に驚いたものであり、そして一番良い回転状態は茶碗形状の形が最良であり、多少の中心部分に重量物の積載が必要である事も理解が出来ると同時に、本申請の回転扇を上下交互に回転さす事に依る不都合等を捜して見たが、海中部分に於いては殆んど支障の無い事を発見したものである。
そして回転力の発生源は高圧海水の噴出力の継続であり何も特別に難しい設備、技術等は全く必要としなくても、自然の強力な浮力を活用した大容量発電が可能である事を発見したものである。
【課題を解決するための手段】  本発電装置の最大の課題である上下二段の各回転扇の均等のとれた回転力の確保であるが、扇茶碗形底辺部分に最適量の重量物の設置と適要量「海中空間」の設置を併設活用すればバランスの取れた軽快な高速回転の出現は充分に可能であり、二段設置方式の扇茶碗形容器の設置に依る考えられる各種不都合な部分も、各々回転扇設置に数ｍの深度差を設置すれば、各々回転扇の逆方向回転には全く影響の無い事が実験に依り確認出来た事と、上下各々回転扇の各々浮力の強弱差等に依る回転力差等の縮小は「海中空間」部分と重量物設置の調整で殆んど対応が調整可能となり当然高圧噴出海水量、噴出圧等の調整でも回転力の調整は出来る事となる。
そしてしっかりと継続された回転稼動力が各々設置回転ギア部分連動駆動される事となれば、発電機に設置がされた「発電ギア」部分に確実に発電に必要な回転数が必ず伝導される事となる。
そして上記各回転ギアの設置場所は全て大気圏内部分であり陸上工場に施工される各種工場と同様の環境であり、大量の熱蒸気発電等とは全く比較に無らない強力な発電設備装置となる事が出現する事となる。
【発明の効果】もし各々回転扇部分の重量が数十ｔだとしても、強大な自然界の強力な浮力の恩恵活用を受けるとすれば必ず回転稼動となり、その回転力は強力な浮力活用と重量感のある回転慣性力の発生等に依り、段々と高速回転となって行く事となる。
その時の回転稼動力は、想像を超える強力なものであり、全ての発電の基本は継続された回転力であり、本装置に於いてはとてつも無い重量感を伴う事となる大容量回転発電となる。
仮に強大な規模の石油、原子力等を使用した１４数百度の爆発的な高温高熱蒸気の蒸気タービンの回転稼動力設備と本発電設備装置を比較して見れば、▲１▼蒸気タービンの蒸気は噴出口近辺は超強烈であるが僅か５ｍ〜６ｍも離れてしまえばほぼ数百℃の普通の蒸気炭酸ガスであり、発電に必要な圧縮噴出膨張爆発力等は殆んど無い状態となり、普通の高湿高温熱風となり大気中に消え入る事となる。
又陸上部分に本回転扇設備を設置をしこの高圧蒸気を噴出させても絶体に回転は不可能となる。
海上海中部分で強力な浮力を利用するだけで、強大な高速回転稼動となる本発電設備装置の方が、安定した重量感のある強力な発電力を発輝する事は明白な事となり、各種連結ギア部分等は必ず設置可能であり、その厖大な発電に必要な燃料は地球に存在する強力な浮力と無限に存在する海水の活用となる。
【図面の簡単な説明】
【図１】海上に「浮力容器調整装置」を外周部分として設置をし、その内側部分に二段の回転扇を設置をし、その中心部分に浮力調整と「内回転扇（Ｙ）」部分の回転接続軸と「外回転扇（Ｆ）」部分の回転軸を設置する「浮力緩衝船中筒」部分の設置をし、その船中筒内に「船中海上喫水線」部分が来る様に各回転扇の浮力調整を行なう事とする。当然「浮力容器浮力調整装置」部分との調整を合わせて行なわれる事とする。各回転扇が交互別方向に回転が始まれば、各種回転ギアが連結稼動を行ない、発電を行なう事となる。
【発明を実施するための形態】
〔図１〕強力な各回転扇の浮力の調整を円滑にする為に「浮力緩衝船中筒」部分を設置をし、まず外回転扇（Ｆ）部分の浮力調整は〔図１〕内図Ｂ部分の「回転緩衝防護壁」部分の設置と「海水取込口」部分の開閉調整を行ない、より軽快な回転の出現を目指す事とし、同時に「海中空間」の浮力と重量物（Ｃ）の併用活用を目指す事とする
又確実な発電船全体の浮力は「浮力容器浮力調整装置」部分で確実に確保されている事とする。
そして上段部分の内回転扇（Ｙ）部分の浮力回転調整は「浮力緩衝船中筒」内部分の「船内海上喫水線」部分迄の海水侵入水位を常時「外海海上喫水線」水位迄の水位を確保する事とし、強力な浮力の負荷が外回転扇（Ｆ）と比較しても大幅に少ない為に、最初の稼動時等にはより軽快な高速回転となるが各高圧海水噴出機等の噴出調整等を行なえば、強力な相乗回転力効果の現出となり、その高速回転稼動力と、各電電機に設置がされた上下発電ギア部分への高速回転稼動力として連動される事となる。
又回転数調整の為の「回転調整モーター室」の設備を行なう事とし、上下両回転扇の回転稼動が段々と高速回転域に達して来ると、上下両回転扇の双方の稼動が想像を超えた大容量発電となる事となる。
【図１】
2014224522.tif 000003